【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
光重合性組成物であって、前記光重合性組成物の総重量を基準として、
（ａ）５０重量％〜９０重量％（両端の値を含む）の少なくとも１つのウレタン成分と、
（ｂ）５重量％〜５０重量％（両端の値を含む）の少なくとも１種の反応性希釈剤であって、１モルあたり４００グラム以下の分子量を有し、いかなるウレタン官能基も含まず、メタクリレートを含む、少なくとも１種の反応性希釈剤と、
（ｃ）０．１重量％〜５重量％（両端の値を含む）の光開始剤と、
（ｄ）存在する場合は０．００１重量％〜１重量％（両端の値を含む）の量の、任意の阻害剤と、
を含み、
０．１［１／ｓ］の剪断速度で４０ｍｍコーンプレート測定システムを使用する磁気ベアリングレオメーターを用いて決定して、４０℃の温度で１０Ｐａ・ｓ以下の粘度を有し、
前記光重合性組成物は、単官能成分を含まない、
光重合性組成物。
【請求項２】
少なくとも１種のウレタンオリゴマーが、ウレタン（メタ）アクリレート、ウレタンアクリルアミド、又はこれらの組み合わせを含み、前記少なくとも１つのウレタン成分が、アルキル、ポリアルキレン、ポリアルキレンオキシド、アリール、ポリカーボネート、ポリエステル、ポリアミド、及びこれらの組み合わせから選択される連結基を含む、請求項１に記載の光重合性組成物。
【請求項３】
前記少なくとも１種のウレタンが、高Ｍｎウレタン成分と低Ｍｎウレタン成分とを含み、前記高Ｍｎウレタン成分と前記低Ｍｎウレタン成分との比が、高Ｍｎウレタン成分対低Ｍｎウレタン成分９５：５〜高Ｍｎウレタン成分対低Ｍｎウレタン成分８０：２０の範囲である、請求項１又は２に記載の光重合性組成物。
【請求項４】
光重合性組成物の反応生成物を含む物品であって、前記光重合性組成物が、前記光重合性組成物の総重量を基準として、
（ａ）５０重量％〜９０重量％（両端の値を含む）の少なくとも１つのウレタン成分と、
（ｂ）５重量％〜５０重量％（両端の値を含む）の少なくとも１種の反応性希釈剤であって、１モルあたり４００グラム以下の分子量を有し、いかなるウレタン官能基も含まず、メタクリレートを含む、少なくとも１種の反応性希釈剤と、
（ｃ）０．１重量％〜５重量％（両端の値を含む）の光開始剤と、
（ｄ）存在する場合は０．００１重量％〜１重量％（両端の値を含む）の量の、任意の阻害剤と、
を含み、
前記光重合性組成物は、単官能成分を含まず、
前記物品が２５％以上の破断伸びを呈する、
物品。
【請求項５】
歯列矯正物品を含む、請求項４に記載の物品。
【請求項６】
１つ以上のチャネル、１つ以上のアンダーカット、１つ以上の穿孔、又はこれらの組み合わせを含む、請求項４又は５に記載の物品。
【請求項７】
３０％以上の破断伸びを含む、請求項４〜６のいずれか一項に記載の物品。
【請求項８】
ＡＳＴＭ  Ｄ６３８−１０に従って決定して、２０メガパスカル（ＭＰａ）以上の引張強度を含む、請求項４〜７のいずれか一項に記載の物品。
【請求項９】
ＡＳＴＭ  Ｄ６３８−１０に従って決定して、２００ＭＰａ以上の弾性率を含む、請求項４〜８のいずれか一項に記載の物品。
【請求項１０】
物品の製造方法であって、
（ｉ）光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤であって、１モルあたり４００グラム以下の分子量を有し、いかなるウレタン官能基も含まず、メタクリレートを含む、少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含み、前記光重合性組成物は、単官能成分を含まない、光重合性組成物を準備することと、
（ｉｉ）前記光重合性組成物を選択的に硬化させて物品を形成することと、
（ｉｉｉ）任意に、ステップ（ｉｉ）の後に残存する未重合ウレタン成分及び／又は反応性希釈剤を硬化させることと、
を含み、前記物品が２５％以上の破断伸びを呈する、
方法。
【請求項１１】
（ｉｖ）ステップ（ｉ）及び（ｉｉ）を繰り返して多層を形成し、ステップ（ｉｉｉ）の前に３次元構造を含む物品を作製することを更に含む、請求項１０に記載の方法。
【請求項１２】
物品の３次元モデルを表すデータを有し、３Ｄプリンタとインタフェースする１つ以上のプロセッサによってアクセスされたときに３Ｄプリンタに物品を作製させる、非一時的機械可読媒体であって、
前記物品が、光重合性組成物の反応生成物を含み、前記光重合組成物が、前記光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤であって、１モルあたり４００グラム以下の分子量を有し、いかなるウレタン官能基も含まず、メタクリレートを含む、少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含み、前記光重合性組成物が単官能成分を含まず、前記物品が２５％以上の破断伸びを呈する、
非一時的機械可読媒体。
【請求項１３】
１つ以上のプロセッサを有する製造デバイスによって、物品の複数の層を規定するデータを含むデジタルオブジェクトを受信することであって、
前記物品が、光重合性組成物の反応生成物を含み、前記光重合組成物が、前記光重合性組成物の総重量を基準として、（ａ）５０重量％〜９０重量％（両端の値を含む）の少なくとも１つのウレタン成分と、（ｂ）５重量％〜５０重量％（両端の値を含む）の少なくとも１種の反応性希釈剤であって、１モルあたり４００グラム以下の分子量を有し、いかなるウレタン官能基も含まず、メタクリレートを含む、少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含み、前記光重合性組成物が単官能成分を含まない、受信することと、
付加製造プロセスによる前記製造デバイスを用いて、前記デジタルオブジェクトに基づく前記物品を生成することであって、前記物品が２５％以上の破断伸びを呈する、生成することと、を含む方法。
【請求項１４】
物品の３Ｄモデルを表示するディスプレイと、
ユーザーによって選択された３Ｄモデルに応じて、物品の物理的オブジェクトを３Ｄプリンタに作製させる、１つ以上のプロセッサと、
を含むシステムであって、
前記物品が、光重合性組成物の反応生成物を含み、前記光重合組成物が、前記光重合性組成物の総重量を基準として、（ａ）５０重量％〜８０重量％（両端の値を含む）の少なくとも１つのウレタン成分と、（ｂ）５重量％〜５０重量％（両端の値を含む）の少なくとも１種の反応性希釈剤であって、１モルあたり４００グラム以下の分子量を有し、いかなるウレタン官能基も含まず、メタクリレートを含む、少なくとも１種の反応性希釈剤と、（ｃ）０．１重量％〜５重量％（両端の値を含む）の光開始剤と、（ｄ）存在する場合は０．００１重量％〜１重量％（両端の値を含む）の量の、任意の阻害剤と、を含み、前記光重合性組成物が単官能成分を含まず、前記物品が２５％以上の破断伸びを呈する、
システム。